(57)【要約】      （修正有）【課題】より良い品質を、遠隔制御アプリケーションに提供し得る自動周波数ホッピング遠隔制御装置を、提供する。【解決手段】リモートコントロール信号の送信が干渉された場合、そのチャンネルを自動的に切替える自動周波数ホッピング遠隔制御装置であり、送信端末１０およびそれに対応する受信端末２０を有する。受信端末２０は、送信端末１０からのリモートコントロール信号を受信するための、電子デバイスに設置される第２信号トランシーバ２１である。受信された信号の品質が、不良であると評価される場合、自動周波数ホッピング遠隔制御装置は、自動的に別の受信チャンネルに切替え、また、周波数ホッピング信号を、送信端末１０に送信する。送信端末１０は、相応し、そのチャンネルに切替え、そして、次のリモートコントロール信号が、そのチャンネルを経由して送信される。【選択図】図１
2007159060.tif 000002
【特許請求の範囲】
【請求項１】
無線周波数信号によって、情報を送信し、リモートコントロール信号が干渉された場合、そのチャンネルを自動的に切替える自動周波数ホッピング遠隔制御装置であって、
受信端末および少なくとも１つの送信端末を有し、
前記送信端末は、
複数のチャンネルからの信号を送信し、また、固定チャネルからの信号を受信し得る第１信号トランシーバ、
入力デバイス、および、
前記入力デバイスのトリガー命令によって、所定のチャンネルから送信されるリモートコントロール信号を含んでおり、
前記受信端末は、
前記送信端末に対応するチャンネルからの信号を受信し、また、前記送信端末からのリモートコントロール信号を受信するために、前記固定チャネルによって、信号を送信し得る第２信号トランシーバを有しており、
受信された前記信号の品質が、不良であると評価される場合、前記受信端末は、自動的に受信チャンネルを切替え、また、前記固定チャネルによって、前記送信端末に対し、周波数ホッピング信号を送信することで、送信チャンネルを、前記受信チャンネルのそれと同一のチャンネルにセットする
ことを特徴とする自動周波数ホッピング遠隔制御装置。
【請求項２】
前記受信端末の前記チャンネルは、所定の順番で切替えられることを特徴とする請求項１に記載の自動周波数ホッピング遠隔制御装置。
【請求項３】
前記受信端末の前記チャンネルは、ランダムに切替えられることを特徴とする請求項１に記載の自動周波数ホッピング遠隔制御装置。
【請求項４】
前記受信端末は、複数であり、異なるデバイスに、それぞれ設置されることを特徴とする請求項１に記載の自動周波数ホッピング遠隔制御装置。
【請求項５】
前記受信端末は、
電気特性のしきい値に従い、受信された前記リモートコントロール信号を評価し、
受信された前記リモートコントロール信号の前記電気特性が、評価基準としての前記しきい値を越えるか否かを検査する
ことを特徴とする請求項１に記載の自動周波数ホッピング遠隔制御装置。
【請求項６】
前記電気特性は、信号／ノイズ比であることを特徴とする請求項５に記載の自動周波数ホッピング遠隔制御装置。
【請求項７】
前記信号を識別するためのレベルを高めるために、前記リモートコントロール信号および／または前記周波数ホッピング信号に対する製品ＩＤを、さらに有することを特徴とする請求項１に記載の自動周波数ホッピング遠隔制御装置。
【請求項８】
前記送信端末は、光表示ランプをさらに有することを特徴とする請求項１に記載の自動周波数ホッピング遠隔制御装置。
【発明の詳細な説明】
【技術分野】
【０００１】
本発明は、周波数ホッピング機能を有するワイヤレス式遠隔制御装置（リモートコントロールデバイス）、より詳しくは、自動周波数ホッピング機能を有する無線周波数（ＲＦ：ｒａｄｉｏ  ｆｒｅｑｕｅｎｃｙ）遠隔制御装置に関する。
【背景技術】
【０００２】
遠隔制御装置は、さまざまな電気器具（例えば、プロジェクタ、ビデオレコーダ、テレビ等）の制御のために、広範囲に使用されている。赤外線信号送信技術を使用している遠隔制御装置は、他の方式に比べて、より普及している。赤外線式遠隔制御装置は、小さくかつ近い領域に適用可能である。そのため、赤外線送信は、低価格（ローエンド）の短距離制御のための良好な選択肢である。
【発明の開示】
【発明が解決しようとする課題】
【０００３】
しかし、赤外線式遠隔制御装置は、長距離あるいは障害物によって、赤外線送信が容易に妨げられる問題を、伴っている。
【０００４】
詳述すると、赤外線は、低コストのワイヤレス送信を提供し、赤外線式デバイスは、扇形（セクタ）の狭い角度（約６０度）における前方へ、信号を送信する。赤外線の波長が長いため、その透過能および反射性は、比較的低い。そのため、赤外線は、障害物を透過あるいは壁で反射することがほとんど不可能であり、受信端末において信号を首尾よく受信することを達成することが困難である。
【０００５】
さらに、一般的な赤外線式遠隔制御装置の送信出力は、低いため、その送信距離が、非常に制限されており、通常は、５メートル未満である。赤外線式遠隔制御装置の使用は、送信角度、距離および障害物により、制限されることは明らかである。
【０００６】
一方、無線周波数（ＲＦ）技術が、良好に開発されて来ており、多くの小型ワイヤレス電気器具あるいは機器において、信号送信のため、無線周波数技術を採用している。高周波電磁波の特徴を利用し、全方向性、高透過性および高反射性の信号送信を達成することが可能である。
【０００７】
しかし、無線周波数信号も、干渉（ｉｎｔｅｒｆｅｒｅｎｃｅ）問題を有する。大部分の干渉は、信号自体によって生じておらず、外部干渉である。例えば、干渉は、同じ周波数バンドを有する他のワイヤレス製品に起因する。そして、ワイヤレスネットワーク機器やワイヤレス電話などのワイヤレス機器、および、ワイヤレスオーディオ／ビデオ信号送信システムにおける無線周波数信号の干渉は、ますます容易ならぬ問題となっている。その結果、送信端末から送信される信号は、受信端末において、成功裏に受信されることができない。
【０００８】
上記において、赤外線式遠隔制御装置は、空間および距離の制限を克服することができない。赤外線技術と比較して、無線周波数技術は、制限がより少なくかつ経済的利益が大きい。しかし、無線周波数技術は、同じ周波数バンドを有する製品により制限される。したがって、改良された遠隔制御装置は、より良い品質を、遠隔制御アプリケーションに提供するために必要とされる。
【０００９】
本発明は、上記従来技術に伴う課題を解決するためになされたものであり、より良い品質を、遠隔制御アプリケーションに提供し得る自動周波数ホッピング遠隔制御装置を、提供することを目的とする。
【課題を解決するための手段】
【００１０】
本発明は、無線周波数信号を使用し、データ送信端末とデータ受信端末との間において、情報を送信することによって、従来技術に係る遠隔制御装置における空間および距離の制限を克服するものである。
【００１１】
さらに、本発明は、遠隔制御装置のチャンネルにおける信号干渉を克服するものである。外部ファクターは、動かし難く、克服あるいは避けるのが困難である。したがって、自動周波数ホッピング遠隔制御装置のデータ送信端末およびデータ受信端末は、所定のチャンネルを複数有し、また、データ受信端末は、送信の間、データ受信端末によって使用されるチャンネルを、決定し、データ送信端末とのチャンネルを、同期を取って切換えることで、リモートコントロール信号の送信成功を保証することが可能である。
【００１２】
さらに、本発明は、送信端末を使用し、複数の受信端末に対して同時に信号を送信するものである。各々の受信端末において、受信可能の信号およびデータを決定することができない状況を避けるため、製品（ｍａｎｕｆａｃｔｕｒｅ）ＩＤが、信号に加えられ、信号およびデータが識別される。
【００１３】
本発明の実施の形態に係る自動周波数ホッピング遠隔制御装置は、リモートコントロール信号の送信が干渉された場合、そのチャンネルを自動的に切替えることが可能である。自動周波数ホッピング遠隔制御装置のチャンネルセレクタは、第１信号トランシーバおよび入力デバイスを含んでいる送信端末と、受信端末とを有する。入力デバイスのトリガー命令（ｔｒｉｇｇｅｒ  ｉｎｓｔｒｕｃｔｉｏｎ）は、リモートコントロール信号を送信するために、提供される。受信端末は、電子デバイスに組み込まれた（ｂｕｉｌｔ−ｉｎ）第２信号トランシーバであり、送信端末からのリモートコントロール信号を受信し、受信した前記信号の品質を評価する。受信端末は、信号品質が不良である場合、そのチャンネルを自動的に切替え、また、周波数ホッピング信号を、送信端末に送信して、送信チャンネルを同時に切替えることで、信号送信の成功を保証する。
【００１４】
上記概要は、本発明の実施の形態に係る一例を説明するためのものであり、以下の詳細な説明と連携して最もよく理解されるが、添付の特許請求の範囲を制限することを目的としていない。
【発明の効果】
【００１５】
本発明によれば、より良い品質を、遠隔制御アプリケーションに提供し得る自動周波数ホッピング遠隔制御装置を、提供することができる。
【発明を実施するための最良の形態】
【００１６】
以下、本発明の実施の形態を、図面を参照しつつ説明する。なお、新規であると考えられる本発明の特徴は、添付の特許請求の範囲において、特に記載される。しかし、本発明自体は、添付の図面と連携し、本発明の実施の形態に係る一例を記述している、以下の詳細な説明を参照することで、最も良く理解されるだろ。
【００１７】
図１は、本発明の実施の形態に係る自動周波数ホッピング遠隔制御装置における１対１制御モードを説明するための概略ブロック図、図２は、図１に示される送信端末および受信端末のチャンネル計画テーブルを説明するための図表、図３は、図２に示されるチャンネル編集テーブルを説明するための図表、図４は、本発明の好ましい実施の形態に係るフローチャート、図５は、本発明の実施の形態に係る自動周波数ホッピング遠隔制御装置における１対多制御モードを説明するための概略ブロック図、図６は、図５に示される送信端末および受信端末のチャンネル計画テーブルを説明するための図表である。
【００１８】
なお、本発明の技術的な特徴、機能および利点は、添付の図面を参照し、好ましい実施の形態に関する以下の詳細な説明において、明瞭となるだろう。
【００１９】
本発明の実施の形態に係る自動周波数ホッピング遠隔制御装置における１対１制御モードを説明するための概略ブロック図である図１を、参照する。自動周波数ホッピング遠隔制御装置は、送信端末１０およびそれに対応する受信端末２０を有する。
【００２０】
送信端末１０は、通常、遠隔制御装置の本体部であり、複数のチャンネルで送信可能である第１信号トランシーバ１１と、入力デバイス１２とを含んでおり、入力デバイス１２のトリガー命令は、所定のチャンネルを使用し、リモートコントロール信号を送信することが可能である。送信端末１０は、また、別の固定チャネルを使用し、別の端末から送信される信号を受信し、前記トリガー情報によって無線周波数信号を送信するために、そのチャンネルを切替えることが可能である。
【００２１】
そのため、次のリモートコントロール信号は、このようなチャンネルにより送信されることとなる。さらに、製品ＩＤを、リモートコントロール信号に加える場合、無線周波数信号を識別するためのレベルが、向上する。なお、送信端末１０は、光表示ランプをさらに有することも好ましい。
【００２２】
受信端末２０は、電子デバイスに組み込まれる第２信号トランシーバ２１であり、送信端末１０からのリモートコントロール信号を受信する。また、受信端末２０は、受信された信号の品質が不良であると評価される場合、その受信チャンネルを、所定の順番あるいはランダムに、自動的に切替え、また、前記固定チャネルを使用し、周波数ホッピング信号を送信端末１０に送信する。そのため、受信端末２０は、その送信チャンネルを、同期して切替えることで、信号送信の成功を保証することが可能である。
【００２３】
本実施の形態において使用される無線周波数（ＲＦ）信号は、汎用ＩＳＭバンド（２．４００ＧＨｚ〜２．４８３ＧＨｚ）で操作されており、送信端末１０および受信端末２０は、所定の周波数の複数のチャンネルを備えている。したがって、それぞれ、信号を送信および受信し、また、送信端末１０から送信される信号を受信する際に、受信端末２０において障害（エラー）を引き起こす、同じ周波数バンドの別のデバイスの干渉を、妨げることが可能である。
【００２４】
送信端末１０および受信端末２０の所定のチャンネルのための図２を、参照する。送信端末１０は、７本の所定のチャンネル（ＣＨ１〜ＣＨ７）を有する。例えば、７本のチャンネルは、２．４１０ＧＨｚ、２．４１２ＧＨｚ、２．４１４ＧＨｚ、２．４１６ＧＨｚ、２．４１８ＧＨｚ、２．４２０ＧＨｚ、２．４２２ＧＨｚのように、セットすることが可能であり、対応する受信端末２０も同様に、２．４１０ＧＨｚ、２．４１２ＧＨｚ、２．４１４ＧＨｚ、２．４１６ＧＨｚ、２．４１８ＧＨｚ、２．４２０ＧＨｚ、２．４２２ＧＨｚのように、セットすることが可能である。
【００２５】
送信端末１０および受信端末２０のチャンネルの周波数は、図３に示されるように、同一であり、チャンネル数は、単なる参照用として与えられる。チャンネル数および周波数の両者は、本発明を制限することを、意図していない。
【００２６】
受信された信号の品質が不良である場合、受信端末２０は、所定の順番あるいはランダムで、その受信チャンネルを別の受信チャンネルに、自動的に切替え、また、固定チャネルを使用し、周波数ホッピング信号を送信端末１０に送信する。そのため、送信端末１０は、同様に、そのチャネルに切換え、そして、次のリモートコントロール信号は、その特定のチャンネルにより送信されるため、干渉問題は、克服される。
【００２７】
いわゆる「信号の不良品質」は、電気特性のしきい値を参照する。電気特性は、例えば、信号／ノイズ比（Ｓ／Ｎ比）であるが、これに限定されない。受信された信号のノイズが、評価基準としてのしきい値未満である場合、信号の品質は、不良であると決定される。受信端末２０は、図２に示されるチャンネルの順番（ＣＨ１→ＣＨ２→ＣＨ３→ＣＨ４→ＣＨ５→ＣＨ６→ＣＨ７）、あるいは、特定の順番を有することなくランダムに、そのチャンネルを切替える。
【００２８】
本実施の形態に係るフローチャートおよびシミュレートされた操作の説明のために、図４を、参照する。本実施の形態の特徴を明確に示すために、遠隔制御式プロジェクタが、一例として使用される。
【００２９】
最初に、ユーザーは、遠端に位置するプロジェクタを制御するために、遠隔制御装置（送信端末として参照）を保持し、遠隔制御装置のトリガー命令に対応するボタンを押圧する（ステップＳ１）。遠隔制御装置（送信端末）の対応する回路が、トリガー命令を受信すると、命令信号は、コード化（ｅｎｃｏｄｅ）、暗号化およびパケット化されて、変調（ｍｏｄｕｌａｔｅ）信号となり（ステップＳ２）、そして、第１信号トランシーバ１１から、送信される（ステップＳ３）。
【００３０】
信号が遠隔制御装置の第１信号トランシーバ１１から送信されると、受信端末２０の第２信号トランシーバ２１は、信号を受信し（ステップＳ４）、受信された信号を復調する（ステップＳ５）。復調された信号の信号品質は、評価される（ステップＳ６）。
【００３１】
信号品質が不良である場合、第２信号トランシーバ２１は、自動的に受信チャンネルを、切替え（ステップＳ７）、そして、周波数ホッピング信号２４を、送信端末に送信する（ステップＳ８）。したがって、送信端末は、その送信チャンネルを、前記チャンネルに切替えるため、次のリモートコントロール信号は、前記チャンネルにより送信される。
【００３２】
なお、信号干渉が無い場合、信号処理手続きは、通常通り実行される（ステップＳ９）。
【００３３】
本発明の実施の形態に係る自動周波数ホッピング遠隔制御装置における１対多制御モードを説明するための概略ブロック図である図５を、参照する。
【００３４】
同様に、送信端末１０の第１信号トランシーバ１１は、異なる受信端末２０，Ｎｎに、信号を送信可能であり、また、受信端末２０，Ｎｎの第２信号トランシーバ２１は、送信端末１０からのリモートコントロール信号を受信し、それを、異なるデバイスに格納（ｓｔｏｒｅ）することが可能である。製品ＩＤは、受信端末２０，Ｎｎを識別するために使用される。受信端末２０，Ｎｎは、異なる周波数バンドを有する複数のチャンネルを有する。
【００３５】
図６において、受信端末２０は、２．４０１ＧＨｚ、２．４０３ＧＨｚ、２．４０５ＧＨｚ、２．４０７ＧＨｚ、２．４０９ＧＨｚ、２．４１１ＧＨｚ、２．４１３ＧＨｚの周波数で操作される７本のチャンネル（ＣＨ１〜ＣＨ７）を有する。受信端末Ｎｎは、２．４０２ＧＨｚ、２．４０４ＧＨｚ、２．４０６ＧＨｚ、２．４０８ＧＨｚ、２．４１０ＧＨｚ、２．４１２ＧＨｚ、２．４１４ＧＨｚの周波数で操作される７本のチャンネル（ＣＨ８〜ＣＨ１４）を有する。
【００３６】
送信端末１０は、同様に、十分なチャンネルを有しており、これらの周波数バンドの範囲をカバーする。したがって、受信端末２０，Ｎｎは、受信した無線周波数信号を識別することが可能である。より多くの受信端末がある場合、上記のように、等しい周波数間隔を有するチャンネルが、加えられる。
【００３７】
周囲の状況において、別の無線周波数信号の干渉が存在する場合、外部ノイズは、データ送信機から送信される信号と、混合される。そのため、受信端末２０，Ｎｎは、送信端末１０からのリモートコントロール信号を、受信することができない。受信された信号の品質が、不良と評価される場合、受信端末２０，Ｎｎの第２信号トランシーバ２１は、受信チャンネルを自動的に切替え、周波数ホッピング信号を、送信端末１０に送信する。したがって、送信端末１０は、相応し、その送信チャンネルを前記チャンネルに切替え、そして、次のリモートコントロール信号が、前記チャンネルを使用し、送信される。
【００３８】
以上のように、本実施の形態は、より良い品質を、遠隔制御アプリケーションに提供し得る自動周波数ホッピング遠隔制御装置を、提供することができる。
【００３９】
なお、本発明は、好ましい実施の形態を参照して説明されてきたが、その詳細な内容に限定されないことが、理解される。多様な置換および修正が、前記説明において提案されており、当業者にとって、他のものが想到されるだろう。したがって、このような置換および修正の全ては、添付の特許請求の範囲において定義されるように、本発明の範囲内でに包含されることを意図している。つまり、本発明は、上述した実施の形態に限定されるものではなく、特許請求の範囲の範囲内で種々改変することができる。
【図面の簡単な説明】
【００４０】
【図１】本発明の実施の形態に係る自動周波数ホッピング遠隔制御装置における１対１制御モードを説明するための概略ブロック図である。
【図２】図１に示される送信端末および受信端末のチャンネル計画テーブルを説明するための図表である。
【図３】図２に示されるチャンネル編集テーブルを説明するための図表である。
【図４】本発明の好ましい実施の形態に係るフローチャートである。
【図５】本発明の実施の形態に係る自動周波数ホッピング遠隔制御装置における１対多制御モードを説明するための概略ブロック図である。
【図６】図５に示される送信端末および受信端末のチャンネル計画テーブルを説明するための図表である。
【符号の説明】
【００４１】
１０・・送信端末、
１１・・第１信号トランシーバ、
１２・・入力デバイス、
２０，Ｎｎ・・受信端末、
２０・・受信端末、
２１・・第２信号トランシーバ、
２４・・周波数ホッピング信号。
【図１】
2007159060.tif 000003
【図２】
2007159060.tif 000004
【図３】
2007159060.tif 000005
【図４】
2007159060.tif 000006
【図５】
2007159060.tif 000007
【図６】
2007159060.tif 000008